(57)【要約】      （修正有）【課題】上衣の下に着用して、着物着用の見栄えを高め、しっかりした衿立て、並びに、着崩れを確実に防止するようにした和装用中衣を提供する。【解決手段】上前衿部を備えた上前身頃２および下前衿部を備えた下前身頃３と、上前身頃および下前身頃の肩部分７でのみ連続する後身頃４とにより構成され、後身頃の下縁に沿って左右両脇部から外方に向けてのびるベルト手段８と、ベルト手段の取り付け位置より上方中央に取付け点１２を有し、左右方向にのびる一対の紐部材を含む衿立て用締結手段１１とを備えてなり、衿立て用締結手段が、後身頃における下縁の左右端部に設けた第１の紐通し部材１４と、上前身頃および下前身頃の下縁開放端に設けた第２の紐通し部材１５とを含むものからなる二部式着物における中衣。【選択図】図１
0003129875.tif 000002
【実用新案登録請求の範囲】
【請求項１】
上前衿部を備えた上前身頃および下前衿部を備えた下前身頃と、前記上前身頃および下前身頃の肩部分でのみ連続する後身頃とにより構成され、前記後身頃の下縁に沿って左右両脇部から外方に向けてのびるベルト手段と、前記ベルト手段の取り付け位置より上方中央に取付け点を有し、左右方向にのびる一対の紐部材を含む衿立て用締結手段とを備えてなり、前記衿立て用締結手段が、前記後身頃における下縁の左右端部に設けた第１の紐通し部材と、前記上前身頃および下前身頃の下縁開放端に設けた第２の紐通し部材とを含むものからなることを特徴とする二部式着物における中衣。
【請求項２】
前記ベルト手段が、長さ方向に伸縮性を有する伸縮ベルトからなり、一方の端部の表面に面状のベルベット式ファスナーの一方を設け、他方の端部の裏面に面状のベルベット式ファスナーの他方を設けてなることを特徴とする請求項１に記載の二部式着物における中衣。
【請求項３】
前記衿立て用締結手段における第１の紐通し部材が、前記後身頃の下縁に沿って、前記ベルト手段の取り付け部位近傍に設けたループ形成部材であり、前記第２の紐通し部材が、前記上前身頃および下前身頃の下縁開放端に設けたリング部材であることを特徴とする請求項１あるいは請求項２に記載の二部式着物における中衣。
【考案の詳細な説明】
【技術分野】
【０００１】
この考案は、二部式タイプの着物における中衣の構造に関するものであり、特に、上衣の下に着用して、着物着用の見栄えを高め、しっかりした衿立て、並びに、着崩れを確実に防止するようにした和装用中衣に関するものである。
【背景技術】
【０００２】
周知のように、着物は、日本古来の民族衣装であり、様々な場所で着用され、その種類についても、着用目的、着用者の年齢、着用する場所などでそれぞれ多様なパターンがある。この着物は、通常、上下一体となった一部式のものが伝統的に提供され利用されてきている。この一部式の着物を着用するには、その着付け作業が極めて煩雑なものであり、且つ、着用時に往々にして着崩れしてしまうという多くの問題点を有しており、延いては、着物の着用が敬遠されるという大きな要因となっている。
【０００３】
このような状況において、着物を構成するにあたって、洋服などのように極めて簡単に着用することができるように、上衣と下衣とに分離した、所謂、二部式の着物が広く提案され提供されてきている。さらに、この二部式着物のファッション性を高める目的において、形態の異なる上衣および下衣を準備しておき、これらを選択的に組み合わせることによって、和装あるいは洋装に使い分けるという試みについても多く提案され、利用されてきている。
【考案の開示】
【考案が解決しようとする課題】
【０００４】
そこで、この考案は、上記する和装界の状況に鑑みてなされたものであり、さらなるファッション性を高める目的において、上衣の下に着用して、着物着用の見栄えを高め、しっかりした衿立て、並びに、着崩れを確実に防止するようにした和装用中衣を提供しようとするものである。
【課題を解決するための手段】
【０００５】
この考案は、上記する目的を達成するにあたって、請求項１に記載の考案は、上前衿部を備えた上前身頃および下前衿部を備えた下前身頃と、前記上前身頃および下前身頃の肩部分でのみ連続する後身頃とにより構成され、前記後身頃の下縁に沿って左右両脇部から外方に向けてのびるベルト手段と、前記ベルト手段の取り付け位置より上方中央に取付け点を有し、左右方向にのびる一対の紐部材を含む衿立て用締結手段とを備えてなり、前記衿立て用締結手段が、前記後身頃における下縁の左右端部に設けた第１の紐通し部材と、前記上前身頃および下前身頃の下縁開放端に設けた第２の紐通し部材とを含むものからなることを特徴とする二部式着物における中衣を構成するものである。
【０００６】
さらに、この考案において請求項２に記載の考案は、請求項１に記載の二部式着物における中衣であって、前記ベルト手段が、長さ方向に伸縮性を有する伸縮ベルトからなり、一方の端部の表面に面状のベルベット式ファスナーの一方を設け、他方の端部の裏面に面状のベルベット式ファスナーの他方を設けてなることを特徴とするものである。
【０００７】
さらにまた、この考案において請求項３に記載の考案は、請求項１あるいは請求項２に記載の二部式着物における中衣であって、前記連結手段が、塑性変形する剛直なプレート部材を内装する飾り帯止部材からなることを特徴とするものでもある。
【考案の効果】
【０００８】
この考案になる二部式着物における中衣は、上前衿部を備えた上前身頃および下前衿部を備えた下前身頃と、前記上前身頃および下前身頃の肩部分でのみ連続する後身頃とにより構成され、前記後身頃の下縁に沿って左右両脇部から外方に向けてのびる一対のベルト手段と、前記ベルト手段の取り付け位置より上方中央に取付け点を有し、左右方向にのびる一対の紐部材を含む衿立て用締結手段とを備えてなり、前記衿立て用締結手段が、前記後身頃における下縁の左右端部に設けた第１の紐通し部材と、前記上前身頃および下前身頃の下縁開放端に設けた第２の紐通し部材とを含むものとして構成してことにより、ベルト手段で身体にしっかりと固定するとともに、衿立て用締結手段によって衿立てをしつつ、上前身頃および下前身頃をしっかりと整えて着用することができ、上衣の下に着用することにより、さらなるファッション性並びに着物着用の見栄えを高め、しっかりした衿立てができ、並びに、着崩れを確実に防止することができる点において極めて有効に作用するものといえる。
【考案を実施するための最良の形態】
【０００９】
以下、この考案になる二部式着物における中衣について、図面に示す具体的な実施例に基づいて詳細に説明する。図１は、この考案になる二部式着物における中衣の具体的な実施例を示すものであって、図１Ａは、当該中衣をその正面側から見た概略的な正面図であり、図１Ｂは、その背面側から見た概略的な背面図である。図２は、当該中衣について、衿立て用締結手段の紐通し態様を示す概略的な背面図である。
【００１０】
この考案になる二部式着物における中衣１は、上前衿部５を備えた上前身頃２および下前衿部６を備えた下前身頃３と、前記上前身頃２および下前身頃３の肩部分７、７でのみ連続する後身頃４とにより構成されている。
【００１１】
前記後身頃４には、ベルト手段８が設けられている。前記ベルト手段８は、前記後身頃４の下縁４ａに沿って左右両脇部４ｂ、４ｃから外方に向けてのびる一対の伸縮ベルト８Ａ、８Ｂを含むものからなっている。前記伸縮ベルト８Ａ、８Ｂは、それぞれ長さ方向に伸縮性を有するものであり、例えば、内部にゴム材９、９を内装縫着したものからなっている。
【００１２】
前記伸縮ベルト８Ａおよび伸縮ベルト８Ｂの各自由端側には、面状の止着手段１０が設けられている。具体的には、前記伸縮ベルト８Ａには、その表面側に面状のベルベット式ファスナーの一方１０Ａが取り付けられており、前記伸縮ベルト８Ｂには、その裏面側に面状のベルベット式ファスナーの他方１０Ｂが取り付けられている。
【００１３】
さらに、前記後身頃４には、衿立て用締結手段１１が設けてある。前記衿立て用締結手段１１は、前記ベルト手段８の取り付け位置より上方中央に取付け点１２を有し、左右方向にのびる一対の紐部材１３Ａ、１３Ｂを含むものからなっている。前記衿立て用締結手段１１は、前記後身頃４における下縁４ａの左右端部に設けた第１の紐通し部材１４と、前記上前身頃２の下縁開放端２ａおよび下前身頃３の下縁開放端３ａに設けた第２の紐通し部材１５とを含むものからなっている。
【００１４】
前記第１の紐通し部材１４は、前記後身頃４の下縁４ａに沿って、前記ベルト手段１０の取り付け部位近傍に設けたループ形成部材１４Ａ、１４Ｂにより構成されており、前記第２の紐通し部材１５は、前記上前身頃２の下縁開放端２ａおよび下前身頃３の下縁開放端３ａに設けたリング部材１５Ａ、１５Ｂにより構成されている。
【００１５】
この考案になる二部式着物における中衣１は、以下のようにして着用される。まず、着用者が着用すべき当該中衣１を準備し、着用する。この場合、前記ベルト手段８は、身体に一回巻き付け、身体の前方において止着手段１０により止着すればよい。これに対して、衿立て用締結手段１１は、図３に示すように、一方の紐部材１３Ａを第１の紐通し部材１４のループ形成部材１４Ａに挿通し、前記下前身頃３の前方側に回して、第２の紐通し部材１５のリング部材１５Ｂに挿通してリターンさせた状態にし、他方の紐部材１３Ｂを第１の紐通し部材１４のループ形成部材１４Ｂに挿通し、前記上前身頃２の前方側に回して、第２の紐通し部材１５のリング部材１５Ａに挿通してリターンさせた状態で、前記一方の紐部材１３Ａと他方の紐部材１３Ｂとを結び合わせるように構成してある。この衿立て用締結手段１１の上記締結により、きれいな衿立てが実現し、上前身頃２および下前身頃３を整然と整えておくことができる。
【図面の簡単な説明】
【００１６】
【図１】図１は、この考案になる二部式着物における中衣の具体的な実施例を示すものであって、図１Ａは、当該中衣をその正面側から見た概略的な正面図であり、図１Ｂは、その背面側から見た概略的な背面図である。
【図２】図２は、当該中衣について、衿立て用締結手段の紐通し態様を示す概略的な背面図である。
【符号の説明】
【００１７】
１  二部式着物における中衣
２  上前身頃
３  下前身頃
４  後身頃
５  上前衿部
６  下前衿部
７  肩部分
８  ベルト手段
８Ａ、８Ｂ  伸縮ベルト
９  ゴム材
１０  面状の止着手段
１１  衿立て用締結手段
１２  取付け点
１３Ａ、１３Ｂ  一対の紐部材
１４  第１の紐通し部材
１４Ａ、１４Ｂ  ループ形成部材
１５  第２の紐通し部材
１５Ａ、１５Ｂ  リング部材
【図１】
0003129875.tif 000003
【図２】
0003129875.tif 000004